(57)【特許請求の範囲】
【請求項１】
１乃至４枚のパネルを成形又は接合により四角筒状に形成すると共に、下縁部に上方開口のコ字状下カマチ材が嵌め込まれた角スリーブ状側面パネルを、底板の四周辺部に設けたグリップアングル材に嵌合して保持した梱包輸送容器において、
金属製下板部の対向辺部にそれぞれ上方に第１、第２側板部を突設し、且つ、第１側板部の上端部に斜め下方に傾斜した上板部を形成した固定用クリップを上記グリップアングル材に下方から嵌め込んで下カマチ材及び側面パネルを固定したことを特徴とする梱包輸送容器。
【請求項２】
波形又はリブを有する側面パネルに合わせた凹凸部を固定用クリップ上板部の側端部に形成し、上記凹凸部を側面パネルに合わせつつ上記クリップをグリップアングル材に下方から嵌め込んで下カマチ材及び側面パネルを固定したことを特徴とする請求項１記載の梱包輸送容器。
【請求項３】
上下板部の一方又は両方を開き方向に変形させるクリップ取り外し用外力が加わえられる被作用部を上記上下板部の一方又は両方に形成した固定用クリップをグリップアングル材に下方から嵌め込んで下カマチ材及び側面パネルを固定したことを特徴とする請求項１又は２記載の梱包輸送容器。
【発明の詳細な説明】
【０００１】
【発明の属する技術分野】
本発明は、下縁部に下方からコ字状下カマチ材が嵌め込まれた側面パネルを底板四周辺部に設けたグリップアングル材に嵌合して保持した梱包輸送容器に関するものである。
【０００２】
【従来の技術】
梱包輸送容器として側面パネルの下縁部に下カマチ材を嵌め込んで底板四周辺部に設けたグリップアングル材に嵌合して保持したものが知られている。
【０００３】
【発明が解決しようとする課題】
解決しようとする課題は、下カマチ材をグリップアングル材に嵌合して保持するだけでは、下カマチ材が抜け易く、組立が不十分である点である。
【０００４】
【課題を解決するための手段】
本発明は、１乃至４枚のパネルを成形又は接合により四角筒状に形成すると共に、下縁部に上方開口のコ字状下カマチ材が嵌め込まれた角スリーブ状側面パネルを、底板の四周辺部に設けたグリップアングル材に嵌合して保持した梱包輸送容器において、金属製下板部の対向辺部にそれぞれ上方に第１、第２側板部を突設し、且つ、第１側板部の上端部に斜め下方に傾斜した上板部を形成した固定用クリップを上記グリップアングル材に下方から嵌め込んで下カマチ材及び側面パネルを固定したことを特徴とする。
【０００５】
【発明の実施の形態】
本発明に係る梱包輸送容器の実施の形態を図１〜図５を参照して以下に説明する。まず図１（ａ）において（１）は本発明に係る梱包輸送容器で、側面パネル（２）と天井板（３）と底板（４）とを具備し、上記側面パネル（２）は鋼製薄板材からなる角スリーブ状４面波形パネルで、上下縁部にそれぞれ上カマチ材（５）と下カマチ材（６）を嵌め込んで設ける。上記側面パネル（２）は、例えば４枚のパネルを四角筒状に接続し、又は一枚のパネルを四角筒状に折曲成形して端部を接続して形成される。
【０００６】
天井板（３）は、図１（ｂ）に示すように、予め四隅部に溶接代（３ｂ）…を形成しておき、四周辺を下方に折曲して側板（３ａ）…を突設した後、四隅部において溶接代（３ｂ）…を隣接側板（３ａ）…と重ねてスポット溶接したもので、側板（３ａ）…の各下縁部を内方にやや折り曲げておく。或いは、溶接に代えて折り曲げ成形により側板（３ａ）を形成しても良い。
【０００７】
底板（４）は鋼製薄板材からなる方形波形パネルで、図１（ａ）に示すように、四周辺部に側面パネル（２）を保持するためのグリップアングル材（７）が設けられ、その下面に脚部となる複数本の滑材（８）…が平行に配設されてグリップアングル材（７）の下面に溶接固定される。上記滑材（８）は中空構造で潰れ易いため、両端開口に補強キャップ（９）…を嵌合固定して補強しておく。
【０００８】
ここで、下カマチ材（６）をグリップアングル材（７）に保持する際、図２（ａ）に示す固定用クリップ（１０）を用いる。上記クリップ（１０）は、図２（ａ）に示すように、下板部（１０ａ）の対向辺部にそれぞれ上方に第１、第２側板部（１０ｂ）（１０ｃ）を突設し、且つ、第１側板部（１０ｂ）の上端部に斜め下方に傾斜した上板部（１０ｄ）を形成したものである。
【０００９】
そこで、図２（ｂ）（ｃ）に示すように、側面パネル（２）の下カマチ材（６）をグリップアングル材（７）に嵌め込んで保持した後、固定用クリップ（１０）をグリップアングル材（７）に下方から嵌め込んでグリップアングル材（７）を上下側方から被覆して下カマチ材（６）及び側面パネル（２）を安定に固定保持する。
【００１０】
そうすると、図２（ｃ）に示すように、下板部（１０ａ）と第１側板部（１０ｂ）と上板部（１０ｄ）とにより形成される略コ字状面によって下カマチ材（６）がグリ  ップアングル材（７）から上方に抜け落ちるのを防止出来る。又、上板部（１０ｄ  ）は斜め下方に傾斜しているため、下カマチ材（６）が上方へ抜け難くなる。又、第２側板部（１０ｃ）により係止されてクリップ（１０）が外側へ抜けるのを防止  し、又、下カマチ材（６）が上方へ引っ張られた時、下板部（１０ａ）が広がり変  形するのを防止する。
【００１１】
次に、他の実施の形態として、図３（ａ）に示す固定用クリップ（１１）がある。上記クリップ（１１）は、クリップ（１０）と同様、下板部（１１ａ）の対向辺部に  それぞれ上方に第１、第２側板部（１１ｂ）（１１ｃ）を突設し、且つ、第１側板部（１１ｂ）の上端部に斜め下方に傾斜した上板部（１１ｄ）を形成し、更に、波形側面パネルに合わせて凹凸部を形成する。上記凹凸部は、例えば波形側面パネルの山部に嵌合する複数のＵ字状切り抜き部（１１ｆ）…を上板部（１１ｄ）の側端部に形成したものである。そして、図３（ｂ）（ｃ）に示すように、切り抜き部（１１ｆ）を  波形側面パネルの山部に嵌合させつつクリップ（１１）をグリップアングル材（７）に下方から嵌め込んで下カマチ材（６）及び側面パネル（２）を固定する。
【００１２】
そうすると、図３（ｂ）に示すように、クリップ（１１）をグリップアングル材（７）に下方から嵌め込んだ際、クリップ（１０）と同様の上述作用に加え、更に図３（ｃ）に示すように、切り抜き部（１１ｆ）…が側面パネル（２）の波形山部  （２ａ）に嵌まり込んでクリップ（１１）の左右位置ずれを防止出来る。
【００１３】
尚、側面パネルが波形に代えて方形又は三角形のリブを有する場合、図５（ａ）（ｂ）に示す固定用クリップ（１４）（１５）のように、上板部（１４ｄ）（１５ｄ）にそれぞれ方形切り抜き部（１４ｆ）と三角形切り抜き部（１５ｆ）を本発明に係る凹凸部として形成する。そして、上記同様、切り抜き部（１４ｆ）（１５ｆ）を上記リブを有する側面パネルの山部に嵌合させつつクリップ（１４）（１５）をグリップアングル材（７）に下方から嵌め込んで下カマチ材（６）及び側面パネル（２）を固定する。
【００１４】
又、他の実施の形態として図４（ａ）に示す固定用クリップ（１２）がある。上記クリップ（１２）は、クリップ（１１）と同様、下板部（１２ａ）と第１、第２側板  部（１２ｂ）（１２ｃ）と上板部（１２ｄ）とＵ字状切り抜き部（１２ｆ）…とを形成し、更に下板部（１２ａ）を下方開き方向に変形させるクリップ取り外し用外力が加わえ  られる被作用部を設けたものである。上記被作用部は、例えば下板部（１２ａ）の  両側端部の中央部を下方に湾曲させて形成した凹み部（１２ｇ）である。
【００１５】
そうすると、図４（ｂ）に示すように、グリップアングル材（７）に下方からクリップ（１２）を嵌め込んだ後、容器分解時等にクリップ（１２）を取り外す際、まず凹み部（１２ｇ）にドライバー（１３）を挿入する。そこで、図４（ｃ）（ｄ）  に示すように、ドライバー（１３）を挿入したまま回転させると、下板部（１２ａ）  が撓んで下方に弾性開き変形し、容易に取り外すことが出来る。
【００１６】
又、上記被作用部としては凹み部（１２ｇ）の他、図５（ｃ）に示す固定用クリ  ップ（１６）のように、上板部（１６ｄ）の側端部を上方に折り返して形成した把持  部（１６ｇ）があり、図５（ｄ）に示すように、把持部（１６ｇ）を治具等で把持して上方に上板部（１６ｄ）を開く。或いは、図５（ｅ）に示す固定用クリップ（１７）  のように、上記被作用部として上板部（１７ｄ）に貫通孔（１７ｇ）を穿設し、図５（ｆ）に示すように、貫通孔（１７ｇ）に治具（１８）を挿通して上方に上板部（１７ｄ）を開く。
【００１７】
【発明の効果】
本発明によれば、下縁部にコ字状下カマチ材を嵌め込んだ側面パネルを底板四周辺部に設けたグリップアングル材に嵌合して保持した後、グリップアングル材の下方に本発明に係る固定用クリップを嵌め込んで下カマチ材及び側面パネルを固定したから、下カマチ材が抜け難くなって側面パネルが安定に固定される。又、固定用クリップの上板部に凹凸部を形成したから、凹凸部が波形やリブを有する側面パネルに嵌合してクリップの位置ずれが防止され、更にクリップの上下板部に被作用部を設けたから、被作用部にクリップ取り外し用外力を加えて上下板部を開くことによりクリップ取り外しが容易になる。
【図面の簡単な説明】
【図１】（ａ）は本発明に係る梱包輸送容器の実施の形態を示す各部の斜視図。
（ｂ）は本発明に係る梱包輸送容器の天井板の部分斜視図。
【図２】（ａ）は本発明に係る固定用クリップの実施の形態を示す斜視図。
（ｂ）は本発明に係る固定用クリップの嵌め込み作業を示す側断面図。
（ｃ）は本発明に係る固定用クリップの嵌め込み状態を示す側断面図。
【図３】（ａ）は本発明に係る固定用クリップの凹凸部の実施の形態を示す斜視図。
（ｂ）（ｃ）は図３（ａ）の固定用クリップの嵌め込み状態を示す側断面図と斜視図。
【図４】（ａ）は本発明に係る固定用クリップの被作用部の実施の形態を示す斜視図。
（ｂ）は図４（ａ）のクリップの嵌め込み状態を示す下方から見た斜視図。
（ｃ）（ｄ）は図４（ａ）のクリップの取り外し作業を示す斜視図と側断面図。
【図５】（ａ）（ｂ）は本発明に係る固定用クリップの凹凸部の他の各実施の形態を示す斜視図。
（ｃ）（ｄ）は本発明に係る固定用クリップの被作用部の他の実施の形態とその動作例を示す斜視図と側面図。
（ｅ）（ｆ）は本発明に係る固定用クリップの被作用部の他の実施の形態とその動作例を示す斜視図と側面図。
【符号の説明】
１  梱包輸送容器
２  側面パネル
３  天井板
６  下カマチ材
７  グリップアングル材
１０  固定用クリップ
１０ａ  下板部
１０ｂ  第１側板部
１０ｃ  第２側板部
１０ｄ  上板部
【図１】
0003582941.tif 000002
【図２】
0003582941.tif 000003
【図３】
0003582941.tif 000004
【図４】
0003582941.tif 000005
【図５】
0003582941.tif 000006